(57)【特許請求の範囲】
【請求項１】
吸気口と排気口とを有する本体ケースと、この本体ケース内に設けた第１の送風手段とイオン発生手段とを備え、この第１の送風手段はスクロール形状の第１のケーシングと、この第１のケーシング内に設けられた第１の羽根と、この第１の羽根を回転させる第１の電動機とから形成し、前記第１のケーシングは、第１の吸込口を備えた第１の吸込側面と、この第１の吸込側面に対向した第１の吸込対向側面と、前記第１の吸込対向側面と前記第１の吸込側面とを繋ぐ舌片部を有する第１の舌片スクロール面と、この第１の舌片スクロール面に対向した第１の舌片対向スクロール面とから形成し、前記第１の吸込対向側面と、前記第１の吸込側面と、前記第１の舌片スクロール面と、前記第１の舌片対向スクロール面により囲まれ開口した第１の吹出口を備え、前記イオン発生手段は、前記本体ケースの前記吸気口と前記第１のケーシングの前記第１の吸込口との間の風路に位置し、前記第１の送風手段は、前記吸気口から前記本体ケース内に吸気した空気を前記第１のケーシングの前記第１の吸込口、前記第１の吹出口を介して前記排気口へと送風すると共に、この送風によって前記吸気口から前記本体ケース内に吸気した空気を前記イオン発生手段を介して前記第１のケーシング内に誘引する誘引手段を備え、この誘引手段は、前記第１のケーシング内における前記第１の舌片対向スクロール面と前記第１の羽根との間の前記舌片部より上流側である前記第１の吸込側面に位置する構成としたイオン発生装置。
【請求項２】
前記誘引手段は、開口である開口部と、この開口部の周辺に位置する負圧発生部とから形成し、この負圧発生部は、前記開口部の前記第１のケーシング内の送風方向における上流側に位置し、前記第１の吸込側面から前記第１のケーシングの内方へ突出した第１の突出部により形成し、この第１の突出部は、前記第１のケーシング内の送風方向における上流側から下流側に向かうにつれて、前記第１の吸込側面から前記第１のケーシングの内方へ傾斜する傾斜面を備えた請求項１に記載のイオン発生装置。
【請求項３】
前記第１の突出部の前記第１のケーシング内の送風方向における下流側には、
前記第１の吸込側面から前記第１のケーシングの内方へ突出した２つの第２の突出部を設け、これら第２の突出部は、前記第１のケーシング内の送風方向における前記傾斜面の下流側端部から前記第１のケーシング内の送風方向における上流側から下流側へ延びた垂直面を備え、この垂直面は、前記第１の吸込側面と平行であると共に前記開口部を挟むように位置する構成とした請求項２に記載のイオン発生装置。
【請求項４】
前記第２の突出部の前記垂直面は、前記第１のケーシング内の送風方向における前記開口部の下流側端部まで延びた構成である請求項３に記載のイオン発生装置。
【請求項５】
前記第１の突出部の前記傾斜面の前記第１のケーシング内の送風方向における長さは、
前記第１の突出部の前記第１の吸込側面から前記第１のケーシングの内方へ突出した長さより長い構成とした請求項３または４に記載のイオン発生装置。
【請求項６】
前記本体ケース内に除湿手段を設け、この除湿手段は前記吸気口と前記第１の送風手段との間の風路において除湿する構成とした請求項１から５のいずれかに記載のイオン発生装置。
【請求項７】
前記本体ケースの排気口に回動自在な風向ルーバーを設けた請求項６に記載のイオン発生装置。
【請求項８】
前記本体ケースに風向ルーバーを往復回動させる風向ルーバー回動手段を設けた請求項７に記載のイオン発生装置。
【発明の詳細な説明】
【技術分野】
【０００１】
本発明は、空気中にマイナスイオンを放出するイオン発生装置に関する。
【背景技術】
【０００２】
イオン発生装置は、例えば臭気の分解等に活用され、更に、それに空気清浄機能や、除湿機能が取り付けられたものがある。このような従来のイオン発生装置の構成、は以下のようになっていた。
【０００３】
すなわち、吸気口と排気口を有する本体ケースと、この本体ケース内に設けられた送風手段とを備え、この送風手段はスクロール形状のケーシングと、このケーシング内に設けられた羽根と、この羽根を回転させる電動機とから形成し、前記送風手段は、前記吸気口から本体ケース内に吸気した空気を前記排気口へと送風すると共に、ケーシング内にイオン発生手段を設けた構成となっていた（例えば、特許文献１参照）。
【先行技術文献】
【特許文献】
【０００４】
【特許文献１】特開２００９−０３６４０８号公報
【発明の概要】
【発明が解決しようとする課題】
【０００５】
上記従来例における課題は、イオン発生手段から発生したイオンが、偏った方向へ送風されるということであった。
【０００６】
すなわち、従来の物においては、イオン発生手段をケーシング内における吹出口近傍に設けていたので、イオンが本体ケースの排気口から偏って送風される場合があった。
【０００７】
そこで本発明は、イオン発生手段から発生したイオンの排気口から送風方向の偏りを低減することを目的とするものである。
【課題を解決するための手段】
【０００８】
そしてこの目的を達成するために本発明は、吸気口と排気口とを有する本体ケースと、この本体ケース内に設けた第１の送風手段とイオン発生手段とを備え、この第１の送風手段はスクロール形状の第１のケーシングと、この第１のケーシング内に設けられた第１の羽根と、この第１の羽根を回転させる第１の電動機とから形成し、前記第１のケーシングは、第１の吸込口を備えた第１の吸込側面と、この第１の吸込側面に対向した第１の吸込対向側面と、前記第１の吸込対向側面と前記第１の吸込側面とを繋ぐ舌片部を有する第１の舌片スクロール面と、この第１の舌片スクロール面に対向した第１の舌片対向スクロール面とから形成し、前記第１の吸込対向側面と、前記第１の吸込側面と、前記第１の舌片スクロール面と、前記第１の舌片対向スクロール面により囲まれ開口した第１の吹出口を備え、前記イオン発生手段は、前記本体ケースの前記吸気口と前記第１のケーシングの前記第１の吸込口との間の風路に位置し、前記第１の送風手段は、前記吸気口から前記本体ケース内に吸気した空気を前記第１のケーシングの前記第１の吸込口、前記第１の吹出口を介して前記排気口へと送風すると共に、この送風によって前記吸気口から前記本体ケース内に吸気した空気を前記イオン発生手段を介して前記第１のケーシング内に誘引する誘引手段を備え、この誘引手段は、前記第１のケーシング内における前記第１の舌片対向スクロール面と前記第１の羽根との間の前記舌片部より上流側である前記第１の吸込側面に位置する構成としたものであり、これにより初期の目的を達成するものである。
【発明の効果】
【０００９】
以上のように本発明は、吸気口と排気口とを有する本体ケースと、この本体ケース内に設けた第１の送風手段とイオン発生手段とを備え、この第１の送風手段はスクロール形状の第１のケーシングと、この第１のケーシング内に設けられた第１の羽根と、この第１の羽根を回転させる第１の電動機とから形成し、前記第１のケーシングは、第１の吸込口を備えた第１の吸込側面と、この第１の吸込側面に対向した第１の吸込対向側面と、前記第１の吸込対向側面と前記第１の吸込側面とを繋ぐ舌片部を有する第１の舌片スクロール面と、この第１の舌片スクロール面に対向した第１の舌片対向スクロール面とから形成し、前記第１の吸込対向側面と、前記第１の吸込側面と、前記第１の舌片スクロール面と、前記第１の舌片対向スクロール面により囲まれ開口した第１の吹出口を備え、前記イオン発生手段は、前記本体ケースの前記吸気口と前記第１のケーシングの前記第１の吸込口との間の風路に位置し、前記第１の送風手段は、前記吸気口から前記本体ケース内に吸気した空気を前記第１のケーシングの前記第１の吸込口、前記第１の吹出口を介して前記排気口へと送風すると共に、この送風によって前記吸気口から前記本体ケース内に吸気した空気を前記イオン発生手段を介して前記第１のケーシング内に誘引する誘引手段を備え、この誘引手段は、前記第１のケーシング内における前記第１の舌片対向スクロール面と前記第１の羽根との間の前記舌片部より上流側である前記第１の吸込側面に位置する構成としたものであり、イオン発生手段から発生したイオンの排気口から送風方向の偏りを低減することが出来るものである。
【００１０】
すなわち、誘引手段は、前記第１のケーシング内における前記第１の舌片対向スクロール面と前記第１の羽根との間の前記舌片部より上流側である前記第１の吸込側面に位置する。ここで、誘引手段の位置から第１の吹出口に向かうにつれて、第１の舌片対向スクロール面と、第１の羽根との間の風路が徐々に広がり、この風路を流れる空気も徐々に広がりながら流れるものである。つまり、イオン発生手段で発生し、第１のケーシング内に誘引されたイオンも、誘引手段から第１の吹出口へ送風される間に、徐々に広がりながら流れるものである。
【００１１】
結果として、イオン発生手段から発生したイオンの排気口から送風方向の偏りを低減することが出来るのである。
【図面の簡単な説明】
【００１２】
【図１】本発明の実施形態１を示す斜視図
【図２】同本体の断面概略図
【図３】同送風手段を示す断面概略図
【図４】同静電霧化手段を示す概略図
【図５】同風向ルーバーを示す概略図
【図６】同誘引手段を示す概略図
【図７】本発明の実施形態２の誘引手段の概略図
【図８】本発明の実施形態３の断面概略図
【図９】本発明の実施形態３を示す斜視図
【図１０】本発明の実施形態４を示す概略図
【発明を実施するための形態】
【００１３】
（実施の形態１）
以下本発明の１実施形態を添付図面を用いて説明する。
【００１４】
図１、２に示すように、本実施形態のイオン発生装置は、本体ケース１内に第１の送風手段２とイオン発生手段３とを備えている。
【００１５】
本体ケース１は、略縦長箱形状で、この本体ケース１の背面側側面部に、略四角形状の吸気口４を設け、本体ケース１の天面部に、略四角形状の排気口５を備えている。この排気口５には、風向ルーバー６を設けている。
【００１６】
第１の送風手段２は、本体ケース１の吸気口４と、排気口５との間の風路に設けられ、スクロール形状の第１のケーシング７と、この第１のケーシング７内に設けられた遠心送風ファンである第１の羽根８と、この第１の羽根８を回転させる第１の電動機９とから形成している。第１の送風手段２によって、吸気口４から本体ケース１内に吸気した空気を排気口５へと送風するものである。
【００１７】
第１の送風手段２の第１のケーシング７は、図２、３に示すように、第１の吸込側面１０と、この第１の吸込側面１０に対向した第１の吸込対向側面１１と、第１の吸込側面１０と第１の吸込対向側面１１とを繋ぐ第１の舌片スクロール面１２および第１の舌片対向スクロール面１３とから形成している。
【００１８】
第１の吸込側面１０は、円形状の第１の吸込口１４を備え、この第１の吸込口１４は、本体ケース１の吸気口４と対向している。第１の舌片スクロール面１２には、第１のケーシング７の内方へ突出した舌片部１５を有している。第１の舌片対向スクロール面１３は第１の舌片スクロール面１２に対向して位置するものである。第１のケーシング７の上部には、第１の吸込側面１０と、第１の吸込対向側面１１と、第１の舌片スクロール面１２と、第１の舌片対向スクロール面１３とにより囲まれ、上方に開口した第１の吹出口１６を備えている。
【００１９】
イオン発生手段３は、本体ケース１の吸気口４と第１のケーシング７の第１の吸込口１４との間の風路に位置している。イオン発生手段３の１例を、静電霧化手段１７として説明する。図４に示すように、この静電霧化手段１７は、放電電極１８と、この放電電極１８に対向して配置された対向電極１９と、これらの対向電極１９と放電電極１８間に高電圧（この実施形態では−５ＫＶ）を印加する高電圧印加部２０と、放電電極１８を冷却する冷却部として配置したペルチェ素子２１と、このペルチェ素子２１の熱を放熱する放熱フィン２２とを備えている。ペルチェ素子２１は０．７５Ｖ〜２．８Ｖ程度の電圧を印加するものであり、この実施形態では、放電電極１８側を低温に、放熱フィン２２側を高温にする。
【００２０】
よって、送風路を通過する室内空気が、この放電電極１８部分で冷却されることで、結露すると、帯電微粒子水が発生することになる。
【００２１】
このため、帯電微粒子水が、次に、乾燥空気とともに、排気口５から本体ケース１外に排気され、帯電微粒子水中のヒドロキシルラジカルが臭いと反応し、それを酸化させることで、臭いを分解することができるのである。
【００２２】
なお、ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２３】
本実施形態における特徴は、第１のケーシング７内における第１の舌片対向スクロール面１３と第１の羽根８との間の舌片部１５より上流側である第１の吸込側面１０に、誘引手段２３を設けた点である。これにより、第１の送風手段２が、吸気口４から本体ケース１内に吸気した空気を、第１のケーシング７の第１の吸込口１４、第１の吹出口１６を介して排気口５へと送風する。そして、この送風によって、誘引手段２３は、吸気口４から本体ケース１内に吸気した空気をイオン発生手段３を介して第１のケーシング７内に誘引するものである。ここで、誘引手段２３の位置から第１の吹出口１６に向かうにつれて、第１の舌片対向スクロール面１３と、第１の羽根８との間の風路は徐々に広がるので、この風路を流れる空気も徐々広がりながら流れるものである。すなわち、イオン発生手段３で発生し、第１のケーシング７内に誘引されたイオンも、誘引手段２３から第１の吹出口１６へ送風される間に、徐々広がりながら流れるものである。
【００２４】
結果として、イオン発生手段３から発生したイオンの排気口５から送風方向の偏りを低減することが出来るのである。
【００２５】
また、排気口５には、風向ルーバー６を設けている。図５に示すように、この風向ルーバー６は、略平板形状のルーバー部２４で、本体ケースにおける左右側である左端部および右端部から外方へ延びた軸部２５を備えている。この軸部２５が排気口５の軸受部２６に回動自在に装着されている。これにより、排気口５からの風向を、水平方向から垂直方向までの仰角方向へ変更することができる。
【００２６】
しかし、風向ルーバー６を回動させると、第１のケーシング７内での送風に乱れが発生する場合がある。そこで、第１のケーシング７内における第１の舌片対向スクロール面１３と第１の羽根８との間の舌片部１５より上流側である第１の吸込側面１０に誘引手段２３を設けたものである。これにより、排気口５と誘引手段２３とが所定の距離を有し離れているため、排気口５に設けた風向ルーバー６を回動させた場合に発生する、第１のケーシング７内での送風の乱れの影響を低減できる。つまり、誘引手段２３によって誘引するイオン量の変動量を低減できる。また、本体ケース１に、風向ルーバー６を水平方向から垂直方向までの仰角方向へ回動させる電動機（図示せず）を備え、この電動機によって自動的に回動させる場合には、第１のケーシング内での送風の乱れが発生する場合が増えるので、より有効である。
【００２７】
また、図６に示すように、誘引手段２３は、開口である開口部２７と、この開口部２７の周辺に位置する負圧発生部２８とから形成している。開口部２７は、略四角形状の開口で第１のケーシング７内における第１の舌片対向スクロール面１３と第１の羽根８との間の第１の吸込側面１０に位置し、開口部２７と第１の舌片対向スクロール面１３とは所定の距離を有し、開口部２７と第１の羽根８とも所定の距離を有する。
【００２８】
負圧発生部２８は、開口部２７の第１のケーシング７内の送風方向における上流側に位置し、第１の吸込側面１０から第１のケーシング７の内方へ突出した第１の突出部２９により形成している。この第１の突出部２９は、第１のケーシング７内の送風方向における上流側から下流側に向かうにつれて、第１の吸込側面１０から第１のケーシング７の内方へ傾斜する傾斜面３０を備えている。
【００２９】
具体的には、第１の突出部２９は、開口部２７の下端部から第１のケーシング７の内方へ水平方向に延びた水平面３１と、この水平面３１の先端から下方へ第１の吸込側面１０側に傾斜して延びる傾斜面３０と、水平面３１の両端からそれぞれ傾斜面３０の両端へ繋がる直角三角形の両側面３２とから形成している。
【００３０】
すなわち、第１のケーシング７内における第１の舌片対向スクロール面１３と第１の羽根８との間を流れる空気の１部は、第１の吸込側面１０の内面に沿って流れ、開口部２７の手前から傾斜面３０に沿って流れる気流となる。この気流は、開口部２７と所定の距離を有し、傾斜面３０の上端から第１の吹出口１６方向へ流れる。つまり、この気流と開口部２７との間に負圧となる負圧領域が発生し、この負圧領域によって、開口部２７からイオン発生手段３より発生したイオンを誘引できる。
【００３１】
また、開口部２７と所定の距離を有し、傾斜面３０の上端から第１の吹出口１６方向へ流れる気流によって誘引されたイオンは、この気流に乗って排気口５から吹出す。つまり、第１の吸込側面１０と距離を有して流れる気流に乗って排気口５から吹出すと考えられるので、第１の吸込側面１０への帯電によるイオンの減少を抑制できる。
【００３２】
また、第１の吸込対向側面１１と第１の吸込側面１０とは平行であるので、傾斜面３０の上端と第１の吸込対向側面１１との距離は、傾斜面３０の下端と第１の吸込対向側面１１との距離より短くなり、傾斜面３０の上端から第１の吹出口１６方向へ流れる風速は速くなる。つまり、この気流と開口部２７との間の負圧領域が、より負圧となるので、開口部２７からイオン発生手段３より発生したイオンをより誘引できる。
【００３３】
（実施の形態２）
以下、本発明の実施の形態２におけるイオン発生装置について図面を参照しながら説明する。なお、実施の形態１の構成と同様の構成を有するものについては、同一符号を付してその説明を省略する。
【００３４】
図７に示すように、実施の形態１と相違する点は、第１の突出部２９の第１のケーシング７内の送風方向における下流側には、第１の吸込側面１０から第１のケーシング７の内方へ突出した２つの第２の突出部３３を設け、これら第２の突出部３３は、第１のケーシング７内の送風方向における傾斜面３０の下流側端部から第１のケーシング７内の送風方向における上流側から下流側へ延びた２つの垂直面３４を備え、この垂直面３４は、第１の吸込側面１０と平行であると共に開口部２７を挟むように位置する構成とした点である。
【００３５】
具体的には、第２の突出部３３は、第１の突出部２９の水平面の両端から、ケーシング内の送風方向における下流側へ延びた立方体形状である。この第２の突出部３３の第１の吸込対向側面１１対向した面が、垂直面３４である。この垂直面３４は、第１の突出部２９の傾斜面３０と繋がっている。そして、これら２つの第２の突出部３３の間に、開口部２７が位置するものである。
【００３６】
すなわち、第１のケーシング７内における第１の舌片対向スクロール面１３と第１の羽根８との間を流れる空気の１部は、第１の吸込側面１０の内面に沿って流れ、開口部２７の手前から第１の突出部２９の傾斜面３０に沿って流れる気流となる。この気流の１部は、更に２つの第２の突出部３３の垂直面３４に沿って流れ、これらの間を流れる気流も、開口部２７と所定の距離を有し、傾斜面３０の上端から第１の吹出口１６方向へ流れる。ここで、第１の吸込対向側面１１と第１の吸込側面１０とは平行であるので、第２の突出部３３の垂直面３４と第１の吸込対向側面１１との距離は、傾斜面３０の下端と第１の吸込対向側面１１との距離より短くなり、第２の突出部３３の垂直面３４を第１の吹出口１６方向へ流れる風速は速くなる。つまり、２つの第２の突出部３３の垂直面３４に沿って流れる２つの気流によって、これらの間である開口部２７に対向して流れる気流の風速も速くなり、結果として、開口部２７に対向して流れる気流と開口部２７との間の負圧領域が、より負圧となるので、開口部２７からイオン発生手段３より発生したイオンをより誘引できる。
【００３７】
また、第１の突出部２９の両側面３２から第１のケーシング７内の送風方向における上流側から下流側へ延びた２つの面が、第２の突出部３３の両側面３５である。すなわち、第１の突出部２９の両側面３２に沿って流れる気流は、更に第２の突出部３３の両側面３５に沿って流れ、第１の吹出口１６方向へ流れるものである。つまり、第２の突出部３３によって、第１の突出部２９の両側面３２に沿って流れる気流が開口部２７へ流れ込むのを抑制できる。
【００３８】
また、第２の突出部３３の垂直面３４は、第１のケーシング７内の送風方向における開口部２７の下流側端部まで延びた構成としたものである。具体的には、第２の突出部３３の垂直面３４は、第１のケーシング７内の送風方向における開口部２７の上流側端部から下流側端部まで位置するものである。
【００３９】
また、第１の突出部２９の傾斜面３０の第１のケーシング７内の送風方向における長さは、第１の突出部２９の第１の吸込側面１０の内面から第１のケーシング７の内方へ突出した長さより長い構成としたものである。具体的には、傾斜面３０は、第１のケーシング７内の送風方向における上流側から下流側に向かうにつれて、第１の吸込側面１０から第１のケーシング７の内方へ傾斜するものである。ここで、第１の吸込側面１０と、この第１の吸込側面１０から傾斜する傾斜面３０との角度が、鋭角となるものである。
【００４０】
すなわち、第１のケーシング７内における第１の舌片対向スクロール面１３と第１の羽根８との間を流れる空気の１部は、第１の吸込側面１０に沿って流れ、開口部２７の手前から第１の突出部２９の傾斜面３０に沿って流れる気流となる。ここで、第１の吸込側面１０と、この第１の吸込側面１０から傾斜する傾斜面３０との角度が、鋭角なので、乱流の発生を抑制できる。
【００４１】
（実施の形態３）
以下、本発明の実施の形態３におけるイオン発生装置について図面を参照しながら説明する。なお、実施の形態１および２の構成と同様の構成を有するものについては、同一符号を付してその説明を省略する。
【００４２】
実施の形態２と相違する点は、図８、９に示すように、本体ケース１内に除湿手段３６を設け、この除湿手段３６は吸気口４と第１の送風手段２との間の風路において除湿する構成とした点である。
【００４３】
除湿手段３６は、吸湿部３７と放湿部３８を有する除湿ロータ３９と吸湿経路４０とを備え、吸湿経路４０は、除湿ロータ３９の放湿部３８と、この放湿部３８の風上側に設けたヒータ４１と、この放湿部３８の風下側に設けた熱交換器４２と、この吸湿経路４０内の空気を循環させる第２の送風手段４３とを有し、吸気口４と第１の送風手段２との間の風路に除湿ロータ３９の吸湿部３７を設けた構成としたものである。更に詳細に説明すると、図＊＊において、本体ケース１の背面側に吸気口４、上方に排気口５を有するであり、この本体ケース１の前面の下方には、受皿４４が出没自在に設けられている。
【００４４】
また、この本体ケース１内には、吸湿部３７と放湿部３８を有する除湿ロータ３９が回転自在に配置されており、その回転駆動はモータ４５によって行われるようになっている。
【００４５】
さらに、この本体ケース１内の前方には、図１の矢印Ａのごとく、本体ケース１の吸気口４から吸込んだ室内空気を、除湿ロータ３９の吸湿部３７を通過後、排気口５から本体ケース１外に排気する第１の送風手段２を設けている。
【００４６】
この第１の送風手段２は、背面側の第１の吸込口１４と、図２に示す上方の第１の吹出口１６を有する第１のケーシング７と、この第１のケーシング７内に設けた第１の羽根８と、この第１の羽根８を駆動する第１の電動機９とを有し、除湿ロータ３９の吸湿部３７を通過後の室内空気は、第１の吸込口１４から第１のケーシング７に流入し、第１の羽根８で加圧され、図３のごとく第１の吹出口１６と、排気口５を介して本体ケース１外に排気される。
【００４７】
また、本体ケース１内には、図８に示すように吸湿経路４０が設けられており、この吸湿経路４０は、除湿ロータ３９の放湿部３８と、この放湿部３８の風上側に設けたヒータ４１と、この放湿部３８の風下側に設けた熱交換器４２と、この吸湿経路４０内の空気を循環させる第２の送風手段４３とを有している。なお、この吸湿経路４０は本体ケース１内の通気路としては独立している。
【００４８】
さらに、この本体ケース１内には図７の矢印Ｂに示すごとく、第１の送風手段２によって吸気口４から本体ケース１内に吸込んだ室内空気を、吸湿経路４０の熱交換器４２を通過後、第１の送風手段２を経由し、排気口５から本体ケース１外に排気する送風路が形成されている。
【００４９】
ただし、矢印Ｂの室内空気は、熱交換器４２内を通過する吸湿経路４０の空気とは、この熱交換器４２を構成する熱伝導面を介して熱交換されるだけで、この熱交換器４２部分で混合されることはない。
【００５０】
ここで、吸湿経路４０の動作について説明すると、ヒータ４１で加熱された、吸湿経路４０の空気は、放湿部３８（除湿ロータ３９の吸湿部３７が回転してこの放湿部３８）において、湿気を放出させ、この高温、過湿状態の空気が、風下側の熱交換器４２に送られる。
【００５１】
この熱交換器４２には上述のごとく、矢印Ｂに示すごとく、第１の送風手段２によって室内空気が送風されているので、高温、過湿状態の空気は冷却され、これにより結露し、これが受皿４４内に溜められる。
【００５２】
除湿ロータ３９の吸湿部３７は、矢印Ａで示すごとく室内空気が通過するごとに、湿気を吸着し、これが除湿ロータ３９の回転により、次に上述した放湿部３８となって、吸湿経路４０内に湿気を放出させ、このような循環により室内空気の除湿が行われる。
【００５３】
イオン発生手段３は、本体ケース１の吸気口４と除湿ロータ３９との間の風路に位置し、本体ケース１の吸気口４に対向している。このイオン発生手段３は、第１の送風手段２の誘引手段２３とは、連通風路４６により連通している。
【００５４】
これにより、第１の送風手段２が、吸気口４から本体ケース１内に吸気した室内空気を、除湿ロータ３９の吸湿部３７で除湿し、第１のケーシング７の第１の吸込口１４、第１の吹出口１６を介して排気口５へと送風する。そして、この送風によって、誘引手段２３は、吸気口４から本体ケース１内に吸気した空気をイオン発生手段３を介して第１のケーシング７内に誘引するものである。イオン発生手段３は、この流れ込んだ室内空気からイオンである帯電微粒子水を発生させる。ここで、誘引手段２３の位置から第１の吹出口１６に向かうにつれて、第１の舌片対向スクロール面１３と、第１の羽根８との間の風路は徐々に広がるので、この風路を流れる空気も徐々広がりながら流れるものである。すなわち、イオン発生手段３で発生し、第１のケーシング７内に誘引されたイオンも、誘引手段２３から第１の吹出口１６へ送風される間に、徐々広がりながら流れるものである。
【００５５】
結果として、イオン発生手段３から発生したイオンを排気口５から満遍なく送風できるので、洗濯物へ送風し、洗濯物を乾燥させる場合に、洗濯物を満遍なく脱臭することができる。
【００５６】
また、本体ケース１の排気口に回動自在な風向ルーバー４７を設けたものである。
【００５７】
この風向ルーバー４７は、略平板形状で、本体ケース１における左右側である左端部および右端部から外方へ延びた軸部４８を備えている。この軸部４８が排気口の軸受部４９に回動自在に装着されている。これにより、排気口５からの風向を、水平方向から垂直方向までの仰角方向へ変更することができる。
【００５８】
しかし、風向ルーバー４７を回動させると、第１のケーシング７内での送風に乱れ発生する場合がある。そこで、第１のケーシング７内における第１の舌片対向スクロール面１３と第１の羽根８との間の舌片部１５より上流側である第１の吸込側面１０に誘引手段２３を設けたものである。これにより、排気口５と誘引手段２３とが所定の距離を有し離れているため、排気口５に設けた風向ルーバー４７を回動させた場合に発生する第１のケーシング７内での送風の乱れの影響を低減できる。つまり、誘引手段２３によって誘引するイオン量の変動量を低減できる。
【００５９】
結果として、風向ルーバー４７を回動し、風向を変化させ、洗濯物を乾燥させる場合にも、誘引手段２３によって誘引するイオン量の変動量を低減できるので、洗濯物を脱臭することができる。
【００６０】
（実施の形態４）
以下、本発明の実施の形態４におけるイオン発生装置について図面を参照しながら説明する。なお、実施の形態１、２、および３の構成と同様の構成を有するものについては、同一符号を付してその説明を省略する。
【００６１】
実施の形態３と相違する点は、図１０に示すように、本体ケース１に風向ルーバー４７を往復回動させる風向ルーバー回動手段を設けた点である。具体的には、風向ルーバー回動手段は、電動機５０である。この電動機５０は、風向ルーバー４７の軸部４８と連結し、風向ルーバー４７を水平方向から垂直方向まで往復回動させるものである。
【００６２】
このように、風向ルーバー４７を往復回動させると、第１のケーシング７内での圧力変化により、送風に乱れが発生する。そこで、第１のケーシング７内における第１の舌片対向スクロール面１３と第１の羽根８との間の舌片部１５より上流側である第１の吸込側面１０に誘引手段２３を設けたものである。これにより、排気口５と誘引手段２３とが所定の距離を有し離れているため、排気口５に設けた風向ルーバー４７を往復回動させた場合に発生する、第１のケーシング７内での送風の乱れの影響を低減できる。つまり、誘引手段２３によって誘引するイオン量の変動量を低減できる。
【００６３】
結果として、風向ルーバー４７を往復回動し、風向を変化させ、洗濯物を乾燥させる場合にも、誘引手段２３によって誘引するイオン量の変動量を低減できるので、洗濯物を脱臭することができる。
【産業上の利用可能性】
【００６４】
以上のように本発明は、吸気口と排気口とを有する本体ケースと、この本体ケース内に設けた第１の送風手段とイオン発生手段とを備え、この第１の送風手段はスクロール形状の第１のケーシングと、この第１のケーシング内に設けられた第１の羽根と、この第１の羽根を回転させる第１の電動機とから形成し、第１のケーシングは、第１の吸込口を備えた第１の吸込側面と、この第１の吸込側面に対向した第１の吸込対向側面と、第１の吸込対向側面と第１の吸込側面とを繋ぐ舌片部を有する第１の舌片スクロール面と、この第１の舌片スクロール面に対向した第１の舌片対向スクロール面とから形成し、第１の吸込対向側面と、第１の吸込側面と、第１の舌片スクロール面と、第１の舌片対向スクロール面により囲まれ開口した第１の吹出口を備え、イオン発生手段は、本体ケースの吸気口と第１のケーシングの第１の吸込口との間の風路に位置し、第１の送風手段は、吸気口から本体ケース内に吸気した空気を第１のケーシングの第１の吸込口、第１の吹出口を介して排気口へと送風すると共に、この送風によって吸気口から本体ケース内に吸気した空気をイオン発生手段を介して第１のケーシング内に誘引する誘引手段を備え、この誘引手段は、第１のケーシング内における第１の舌片対向スクロール面と第１の羽根との間の舌片部より上流側である第１の吸込側面に位置する構成としたものであり、
イオン発生手段から発生したイオンの送風方向の偏りを低減することが出来るものである。
【００６５】
すなわち、誘引手段は、第１のケーシング内における第１の舌片対向スクロール面と第１の羽根との間の舌片部より上流側である第１の吸込側面に位置する。ここで、誘引手段の位置から第１の吹出口に向かうにつれて、第１の舌片対向スクロール面と、第１の羽根との間の風路が徐々に広がり、この風路を流れる空気も徐々に広がりながら流れるものである。つまり、イオン発生手段で発生し、第１のケーシング内に誘引されたイオンも、誘引手段から第１の吹出口へ送風される間に、徐々に広がりながら流れるものである。
【００６６】
結果として、イオン発生手段から発生したイオンの送風方向の偏りを低減することが出来るのである。
【００６７】
従って、家庭用や事務所用などの、イオン発生手段として活用が期待されるものである。
【符号の説明】
【００６８】
１    本体ケース
２    第１の送風手段
３    イオン発生手段
４    吸気口
５    排気口
６    風向ルーバー
７    第１のケーシング
８    第１の羽根
９    第１の電動機
１０  第１の吸込側面
１１  第１の吸込対向側面
１２  第１の舌片スクロール面
１３  第１の舌片対向スクロール面
１４  第１の吸込口
１５  舌片部
１６  第１の吹出口
１７  静電霧化手段
１８  放電電極
１９  対向電極
２０  高電圧印加部
２１  ペルチェ素子
２２  放熱フィン
２３  誘引手段
２４  ルーバー部
２５  軸部
２６  軸受部
２７  開口部
２８  負圧発生部
２９  第１の突出部
３０  傾斜面
３１  水平面
３２  両側面
３３  第２の突出部
３４  垂直面
３５  両側面
３６  除湿手段
３７  吸湿部
３８  放湿部
３９  除湿ロータ
４０  吸湿経路
４１  ヒータ
４２  熱交換器
４３  第２の送風手段
４４  受皿
４５  モータ
４６  連通風路
４７  風向ルーバー
４８  軸部
４９  軸受部
５０  電動機
【図１】
0005234122.tif 000002
【図２】
0005234122.tif 000003
【図３】
0005234122.tif 000004
【図４】
0005234122.tif 000005
【図５】
0005234122.tif 000006
【図６】
0005234122.tif 000007
【図７】
0005234122.tif 000008
【図８】
0005234122.tif 000009
【図９】
0005234122.tif 000010
【図１０】
0005234122.tif 000011